(57)【要約】【課題】記憶手段に取得した転写紙に対応する画像形成条件がなくても、使用する転写紙に対して最適な画像形成条件を設定することのできる画像形成装置、画像形成条件提供システムおよび画像形成条件設定方法を提供する。【解決手段】記憶手段たるデータベース３０１ａに取得した転写紙に対応する画像形成条件がないときは、第２画像形成条件設定手段を実行して、画像形成装置自ら、取得した転写紙に対する最適な画像形成条件を見つけ出して、見つけ出した画像形成条件に設定する。【選択図】図１０
2008102261.tif 000002
【特許請求の範囲】
【請求項１】
転写紙に画像を形成する画像形成装置における画像形成条件設定方法であって、
転写紙の種類情報を取得するステップＡと、
転写紙の種類情報と画像形成条件とが対応づけられて記憶されている記憶手段からステップＡで取得した転写紙の種類情報に該当する画像形成条件があるか否か検索するステップＢと、
ステップＡで取得した転写紙の種類情報に該当する画像形成条件が記憶手段にある場合は、記憶手段からステップＡで取得した転写紙の種類情報に対応する画像形成条件を取得して、その画像形成条件に設定し、ステップＡで取得した転写紙の種類情報に該当する画像形成条件がなかった場合は、標準の画像形成条件で所定の判定画像を転写紙に形成し、転写紙に形成された判定画像を読み取って判定画像の良否を判定し、判定結果に基づいて画像形成条件を設定するステップＣとを有することを特徴とする画像形成条件設定方法。
【請求項２】
請求項１の画像形成条件設定方法において、
前記記憶手段は、転写紙の種類毎に環境条件と画像形成条件とを対応づけて記憶し、かつ、複数の画像形成装置と通信回線を介して接続されたサーバに設けられたものであって、
前記記憶手段に転写紙の種類情報に対応する画像形成条件がなかったときに設定した前記転写紙に対応する画像形成条件を、設定したときの環境条件と転写紙の種類情報と対応づけて前記記憶手段に記憶するステップと、
前記記憶手段に記憶された前記転写紙における各環境条件に対応する画像形成条件が充足したとき、該転写紙を使用している画像形成装置に対して、各環境条件に対応する画像形成条件を配信するステップとを有することを特徴とする画像形成条件設定方法。
【請求項３】
請求項１または２の画像形成条件設定方法において、
前記画像形成装置に対して着脱可能、かつ、書き換え可能な外部記憶媒体を介して、前記記憶手段から転写紙の種類情報に対応した画像形成条件を取得することを特徴とする画像形成条件設定方法。
【請求項４】
転写紙に画像を形成する画像形成装置において、
前記転写紙の種類情報を取得する転写紙情報取得手段と、
転写紙の種類と画像形成条件とが対応づけられて記憶されている記憶手段から、前記転写紙情報取得手段で取得した転写紙の種類情報に対応した画像形成条件を取得する画像形成条件取得手段と、
前記記憶手段から取得した画像形成条件に設定する第１画像形成条件設定手段と、
判定用の画像形成条件に設定して前記転写紙に判定画像を形成し、転写紙上の判定画像を読み取って判定画像の良否を判定し、判定画像の判定結果に基づいて画像形成条件を設定する第２画像形成条件設定手段とを備え、
取得した転写紙の種類情報に対応する画像形成条件を前記記憶手段から取得できなかったときは、前記第２画像形成条件設定手段を実行して、画像形成条件を設定することを特徴とする画像形成装置。
【請求項５】
請求項４の画像形成装置において、
前記記憶手段は、通信回線を介して複数の画像形成装置と接続された画像形成条件提供サーバ内に設けられたものであって、
前記画像形成条件提供サーバと情報の送受信を行う通信手段を備え、
前記通信手段は、前記第２画像形成条件設定手段を実行して、設定した画像形成条件を、判定に使用した転写紙の種類情報とともに、前記画像形成条件提供サーバに送信することを特徴とする画像形成装置。
【請求項６】
請求項５の画像形成装置において、
環境を検知する環境検知手段を備え、
前記記憶手段には、転写紙の種類毎に環境条件と画像形成条件とが対応づけられて記憶されており、
前記第１画像形成条件設定手段は、前記転写紙情報取得手段で取得した転写紙の種類情報に対応した環境条件毎の画像形成条件を取得し、前記環境検知手段の検知結果に基づいて画像形成条件を設定するものであって、前記通信手段は、前記第２画像形成条件設定手段を実行して設定した画像形成条件と、判定に使用した転写紙の種類情報と、前記第２画像形成条件設定手段実行時の前記環境検知手段が検知した環境条件とを、前記画像形成条件提供サーバに送信することを特徴とする画像形成装置。
【請求項７】
請求項４乃至６いずれかの画像形成装置において、
装置に対して着脱可能、かつ、書き換え可能な外部記憶媒体を有し、
該外部記憶媒体を介して、前記記憶手段から取得した転写紙の種類情報に対応した画像形成条件を取得する第２画像形成条件取得手段を備えたことを特徴とする画像形成装置。
【請求項８】
画像形成装置と、転写紙の種類と画像形成条件とが対応づけられて記憶されている記憶手段を有し、画像形成装置から通信回線を介して使用する転写紙の種類情報と画像形成条件取得要求とを受信し、受信した転写紙の種類情報に基づいて、前記記憶手段から対応する画像形成条件を特定し、特定した画像形成条件を、通信回線を介して前記画像形成装置に提供する画像形成条件提供サーバとからなる画像形成条件提供システムであって、
前記画像形成条件提供サーバは、前記記憶手段に受信した転写紙の種類に対応する画像形成条件がないとき、転写紙の種類情報と、前記画像形成装置自ら設定したこの転写紙の種類に対応する画像形成条件を受信して、前記記憶手段に記憶することを特徴とする画像形成条件提供システム。
【請求項９】
請求項８の画像形成条件提供システムにおいて、
前記記憶手段は、転写紙の種類毎に環境条件と画像形成条件とを対応づけて記憶するものであって、
前記画像形成条件提供サーバは、前記記憶手段に転写紙の種類に対応する画像形成条件がないとき、転写紙の種類情報と、前記画像形成装置自ら設定したこの転写紙の種類に対応する画像形成条件と、画像形成条件を設定したときの環境条件とを受信して、前記記憶手段に記憶することを特徴とする画像形成条件提供システム。
【請求項１０】
請求項９の画像形成条件提供システムにおいて、
前記画像形成条件提供サーバは、各環境条件に対応する画像形成条件が充足されていない転写紙に対して取得要求を行った画像形成装置を記憶しておき、この転写紙の各環境条件に対応する画像形成条件が充足されたときは、充足された各環境条件に対応する画像形成条件を、記憶しておいた画像形成装置に対して送信することを特徴とする画像形成条件提供システム。
【請求項１１】
請求項８乃至１０いずれかの画像形成条件提供システムにおいて、
前記画像形成条件提供サーバは、前記記憶手段に記憶されていない転写紙の種類情報を受信したとき、前記転写紙の種類情報を前記画像形成装置提供メーカに報知することを特徴とする画像形成条件提供システム。
【請求項１２】
請求項８乃至１１いずれかの画像形成条件提供システムにおいて、
前記画像形成装置として、請求項１乃至４いずれかの画像形成装置を用いたことを特徴とする画像形成条件提供システム。
【請求項１３】
画像形成装置の複数の状態情報を取得するステップと、前記複数の状態情報から指標値を算出するステップと、転写紙の種類情報を取得するステップと、前記取得した転写紙の種類情報に対応する閾値を取得するステップと、算出した指標値と取得した閾値との比較結果に基づいて、画像形成装置の異常の有無の判別または故障の発生を予測するステップとを有する故障予測方法。
【請求項１４】
複数種類の装置の状態情報を取得する取得手段と、取得した複数の状態情報に基づいて、前記装置の状態を示す指標値を算出する指標値算出手段と、前記指標値と、閾値との比較結果に基づいて装置の異常の有無の判別または故障の発生を予測する異常判定手段と、を備えた画像形成装置において、
転写紙の種類情報を取得する転写紙情報取得手段と、取得した転写紙の種類情報に対応した閾値に設定する閾値設定手段とを備えたことを特徴とする画像形成装置。
【請求項１５】
複数の画像形成装置と、複数の画像形成装置と通信回線を介して接続されており、転写紙の種類と画像形成装置の故障判定および故障の発生の予測に用いられる閾値とが対応づけられて記憶されている記憶手段を備えた管理サーバとを備え、画像形成装置の複数種類の状態情報を取得し、取得した複数種類の状態情報に基づいて、画像形成装置の状態を示す指標値を算出し、指標値と、閾値との比較結果に基づいて画像形成装置の異常の有無の判別または故障の発生を予測する異常判定システムにおいて、
前記画像形成装置が使用している転写紙の種類情報を取得して、前記記憶手段から取得した転写紙の種類情報に対応する閾値を取得し、この取得した閾値と指標値との比較結果に基づいて画像形成装置の異常の有無の判別または故障の発生を予測することを特徴とする異常判定システム。
【発明の詳細な説明】
【技術分野】
【０００１】
本発明は、画像形成装置、画像形成条件提供システム、画像形成条件設定方法、並びに、異常判定システム、および、異常判定方法に関するものである。
【背景技術】
【０００２】
近年、省資源に対応するために古紙を高比率で配合した再生紙や、世界各国で製造された低価格な転写紙が容易に入手可能になっている。ユーザは、市場に流通しているこれらの転写紙の中から価格や用途に応じて銘柄を選択しており、その結果、画像形成装置に使われる転写紙の種類、銘柄は、実に多種多様となっている。
【０００３】
転写紙の種類・銘柄によって抵抗値、熱特性、機械特性は、それぞれ違っているため、得られる画像品質は、これら転写紙の銘柄によって大きく変動する。電子写真方式の画像形成装置においては、トナー像を転写紙に転写する工程（転写工程）で、静電気の作用を利用しているため、転写紙の抵抗値などの特性によって転写性が変動する。また、定着工程では、転写紙の熱特性や機械特性によって、光沢度や定着性、搬送性能（紙詰まりの起こりにくさ）が影響を受ける。
【０００４】
特許文献１には、次のような画像形成装置が記載されている。すなわち、転写紙を所定枚数包装した包装紙に記録されている文字・記号、バーコードなどの紙種に関する情報をスキャナやバーコードリーダなで読み取り転写紙の種類情報を取得する。次に、取得した転写紙の種類情報をもとにデータベースから紙の粗さ情報を得て、その紙の粗さ情報に基づいて現像バイアスを設定する画像形成装置である。
【０００５】
特許文献２には、画像形成装置の状態と関連がある複数種類の状態情報を取得し、取得した複数種類の状態情報から指標値を算出し、この指標値が閾値を超えた時点で、画像形成装置の異常と判定して、装置内の部品の交換を報知している。
【０００６】
【特許文献１】特開２００４−２５８３９７号公報
【特許文献２】特開２００５−０１７８７４号公報
【発明の開示】
【発明が解決しようとする課題】
【０００７】
［課題１］
しかしながら、転写紙の種類は、非常に多いので、現在流通している転写紙の情報を全てデータベースに記憶することは困難である。このため、データベースに記憶されてない転写紙の種類をユーザーが使用することは、当然起こりうる。この場合、特許文献１では、使用する転写紙に対して最適な画像形成条件で画像を形成することができず、良好な画像を形成することができない。
【０００８】
［課題２］
転写紙には、パルプだけでなくシリカ，クレーなどの様々な填料が含まれており、転写紙の種類毎にこれらの填料の種類や配合量が異なっている。転写紙に含まれる填料によっては、画像形成装置の構成部材（感光体やクリーニングブレード、定着ローラなど）に転移して、クリーニング不良やフィルミング、オフセットなど経時的な不具合を生じることがある。そして、これらの填料の配合量、種類などは、転写紙の種類毎に異なっているため、画像形成装置の構成部材の劣化進行の度合いも転写紙の種類毎に異なる。特許文献２においては、転写紙の種類によらず閾値は１つだけであるので、転写紙の種類によっては、指標値が閾値を超えない段階で、部品が劣化し装置に異常が発生してしまう場合があった。また、部品があまり劣化していない段階で、指標値が閾値を超えてしまい、部品交換を報知してしまう場合もあった。このように、転写紙に起因する部材劣化は、転写紙の種類毎に異なるため、特許文献２では、転写紙に起因する部材劣化による異常発生を精度よく判定または予測することが困難であった。
【０００９】
本発明の第１の目的とするところは、上記課題１に鑑みなされたものであり、記憶手段に取得した転写紙に対応する画像形成条件がなくても、使用する転写紙に対して最適な画像形成条件を設定することのできる画像形成条件設定方法、画像形成装置および画像形成条件提供システムを提供することである。
【００１０】
本発明の第２の目的とするところは、上記課題２に鑑みなされたものであり、転写紙に起因する部材劣化による異常発生を精度よく判定または予測することのできる異常判定方法、異常判定システム、および画像形成装を提供することである。
【課題を解決するための手段】
【００１１】
上記第１の目的を達成するために、請求項１の発明は、転写紙に画像を形成する画像形成装置における画像形成条件設定方法であって、転写紙の種類情報を取得するステップＡと、転写紙の種類情報と画像形成条件とが対応づけられて記憶されている記憶手段からステップＡで取得した転写紙の種類情報に該当する画像形成条件があるか否か検索するステップＢと、ステップＡで取得した転写紙の種類情報に該当する画像形成条件が記憶手段にある場合は、記憶手段からステップＡで取得した転写紙の種類情報に対応する画像形成条件を取得して、その画像形成条件に設定し、ステップＡで取得した転写紙の種類情報に該当する画像形成条件がなかった場合は、標準の画像形成条件で所定の判定画像を転写紙に形成し、転写紙に形成された判定画像を読み取って判定画像の良否を判定し、判定結果に基づいて画像形成条件を設定するステップＣとを有することを特徴とするものである。
また、請求項２の発明は、請求項１の画像形成条件設定方法において、前記記憶手段は、転写紙の種類毎に環境条件と画像形成条件とを対応づけて記憶し、かつ、複数の画像形成装置と通信回線を介して接続されたサーバに設けられたものであって、前記記憶手段に転写紙の種類情報に対応する画像形成条件がなかったときに設定した前記転写紙に対応する画像形成条件を、設定したときの環境条件と転写紙の種類情報と対応づけて前記記憶手段に記憶するステップと、前記記憶手段に記憶された前記転写紙における各環境条件に対応する画像形成条件が充足したとき、該転写紙を使用している画像形成装置に対して、各環境条件に対応する画像形成条件を配信するステップとを有することを特徴とするものである。
また、請求項３の発明は、請求項１または２の画像形成条件設定方法において、前記画像形成装置に対して着脱可能、かつ、書き換え可能な外部記憶媒体を介して、前記記憶手段から転写紙の種類情報に対応した画像形成条件を取得することを特徴とするものである。
また、請求項４の発明は、転写紙に画像を形成する画像形成装置において、前記転写紙の種類情報を取得する転写紙情報取得手段と、転写紙の種類と画像形成条件とが対応づけられて記憶されている記憶手段から、前記転写紙情報取得手段で取得した転写紙の種類情報に対応した画像形成条件を取得する画像形成条件取得手段と、前記記憶手段から取得した画像形成条件に設定する第１画像形成条件設定手段と、判定用の画像形成条件に設定して前記転写紙に判定画像を形成し、転写紙上の判定画像を読み取って判定画像の良否を判定し、判定画像の判定結果に基づいて画像形成条件を設定する第２画像形成条件設定手段とを備え、取得した転写紙の種類情報に対応する画像形成条件を前記記憶手段から取得できなかったときは、前記第２画像形成条件設定手段を実行して、画像形成条件を設定することを特徴とするものである。
また、請求項５の発明は、請求項４の画像形成装置において、前記記憶手段は、通信回線を介して複数の画像形成装置と接続された画像形成条件提供サーバ内に設けられたものであって、前記画像形成条件提供サーバと情報の送受信を行う通信手段を備え、前記通信手段は、前記第２画像形成条件設定手段を実行して、設定した画像形成条件を、判定に使用した転写紙の種類情報とともに、前記画像形成条件提供サーバに送信することを特徴とするものである。
また、請求項６の発明は、請求項５の画像形成装置において、環境を検知する環境検知手段を備え、前記記憶手段には、転写紙の種類毎に環境条件と画像形成条件とが対応づけられて記憶されており、前記第１画像形成条件設定手段は、前記転写紙情報取得手段で取得した転写紙の種類情報に対応した環境条件毎の画像形成条件を取得し、前記環境検知手段の検知結果に基づいて画像形成条件を設定するものであって、前記通信手段は、前記第２画像形成条件設定手段を実行して設定した画像形成条件と、判定に使用した転写紙の種類情報と、前記第２画像形成条件設定手段実行時の前記環境検知手段が検知した環境条件とを、前記画像形成条件提供サーバに送信することを特徴とするものである。
また、請求項７の発明は、請求項４乃至６いずれかの画像形成装置において、装置に対して着脱可能、かつ、書き換え可能な外部記憶媒体を有し、該外部記憶媒体を介して、前記記憶手段から取得した転写紙の種類情報に対応した画像形成条件を取得する第２画像形成条件取得手段を備えたことを特徴とするものである。
また、請求項８の発明は、画像形成装置と、転写紙の種類と画像形成条件とが対応づけられて記憶されている記憶手段を有し、画像形成装置から通信回線を介して使用する転写紙の種類情報と画像形成条件取得要求とを受信し、受信した転写紙の種類情報に基づいて、前記記憶手段から対応する画像形成条件を特定し、特定した画像形成条件を、通信回線を介して前記画像形成装置に提供する画像形成条件提供サーバとからなる画像形成条件提供システムであって、前記画像形成条件提供サーバは、前記記憶手段に受信した転写紙の種類に対応する画像形成条件がないとき、転写紙の種類情報と、前記画像形成装置自ら設定したこの転写紙の種類に対応する画像形成条件を受信して、前記記憶手段に記憶することを特徴とするものである。
また、請求項９の発明は、請求項８の画像形成条件提供システムにおいて、前記記憶手段は、転写紙の種類毎に環境条件と画像形成条件とを対応づけて記憶するものであって、前記画像形成条件提供サーバは、前記記憶手段に転写紙の種類に対応する画像形成条件がないとき、転写紙の種類情報と、前記画像形成装置自ら設定したこの転写紙の種類に対応する画像形成条件と、画像形成条件を設定したときの環境条件とを受信して、前記記憶手段に記憶することを特徴とするものである。
また、請求項１０の発明は、請求項９の画像形成条件提供システムにおいて、前記画像形成条件提供サーバは、各環境条件に対応する画像形成条件が充足されていない転写紙に対して取得要求を行った画像形成装置を記憶しておき、この転写紙の各環境条件に対応する画像形成条件が充足されたときは、充足された各環境条件に対応する画像形成条件を、記憶しておいた画像形成装置に対して送信することを特徴とするものである。
また、請求項１１の発明は、請求項８乃至１０いずれかの画像形成条件提供システムにおいて、前記画像形成条件提供サーバは、前記記憶手段に記憶されていない転写紙の種類情報を受信したとき、前記転写紙の種類情報を前記画像形成装置提供メーカに報知することを特徴とするものである。
また、請求項１２の発明は、請求項８乃至１１いずれかの画像形成条件提供システムにおいて、前記画像形成装置として、請求項１乃至４いずれかの画像形成装置を用いたことを特徴とするものである。
【００１２】
また、上記第２の目的を達成するために、請求項１３の発明は、画像形成装置の複数の状態情報を取得するステップと、前記複数の状態情報から指標値を算出するステップと、転写紙の種類情報を取得するステップと、前記取得した転写紙の種類情報に対応する閾値を取得するステップと、算出した指標値と取得した閾値との比較結果に基づいて、画像形成装置の異常の有無の判別または故障の発生を予測するステップとを有する故障予測方法。
また、請求項１４の発明は、複数種類の装置の状態情報を取得する取得手段と、取得した複数の状態情報に基づいて、前記装置の状態を示す指標値を算出する指標値算出手段と、前記指標値と、閾値との比較結果に基づいて装置の異常の有無の判別または故障の発生を予測する異常判定手段と、を備えた画像形成装置において、転写紙の種類情報を取得する転写紙情報取得手段と、取得した転写紙の種類情報に対応した閾値に設定する閾値設定手段とを備えたことを特徴とするものである。
また、請求項１５の発明は、複数の画像形成装置と、複数の画像形成装置と通信回線を介して接続されており、転写紙の種類と画像形成装置の故障判定および故障の発生の予測に用いられる閾値とが対応づけられて記憶されている記憶手段を備えた管理サーバとを備え、画像形成装置の複数種類の状態情報を取得し、取得した複数種類の状態情報に基づいて、画像形成装置の状態を示す指標値を算出し、指標値と、閾値との比較結果に基づいて画像形成装置の異常の有無の判別または故障の発生を予測する異常判定システムにおいて、前記画像形成装置が使用している転写紙の種類情報を取得して、前記記憶手段から取得した転写紙の種類情報に対応する閾値を取得し、この取得した閾値と指標値との比較結果に基づいて画像形成装置の異常の有無の判別または故障の発生を予測することを特徴とするものである。
【発明の効果】
【００１３】
請求項１乃至１２の発明によれば、記憶手段に取得した転写紙に対応する画像形成条件がなくても、取得した転写紙に対して最適な画像形成条件を設定することができる。その結果、記憶手段に取得した転写紙に対応する画像形成条件がなくても、良好な画像を形成することができる。
【００１４】
請求項１３乃至１５の発明によれば、異常発生の判定または予測に用いる閾値を、取得した転写紙の種類に対応した閾値にするので、転写紙の種類毎に異なる画像形成装置の構成部材の劣化進行の度合いに対応した異常発生の判定または予測することのできる。これにより、転写紙に起因する部材劣化による異常発生を精度よく判定または予測することのできる。
【発明を実施するための最良の形態】
【００１５】
［実施形態１］
まず、本発明の実施形態１について説明する。図１は、実施形態１に係る画像形成条件提供システムの一例を示す概略構成図である。
画像形成条件提供システムは、画像形成装置たる複写機１００と、記憶手段たるデータベース３０１ａを備えた画像形成条件提供サーバ３０１と、複写機１００と画像形成条件提供サーバ３０１との間で通信を行う通信ネットワークなどの通信回線とで構築される。
画像形成条件提供サーバ３０１は、パーソナルコンピュータなどのメーカ端末３０３が接続されており、画像形成装置からデータベース３０１ａにない種類の転写紙に対する画像形成条件取得要求があった場合、その転写紙の種類情報をメーカ端末に対してメールを送信するなどして報知している。データベース３０１ａには、転写紙の種類毎に環境条件（環境区分）と画像形成条件とが関連づけられたデータテーブル、または、環境条件と画像形成条件との関係を示す変換式が格納されている。なお、画像形成条件とは、複写機１００が画像を形成するときに設定される条件であり、定着温度、転写バイアス、現像バイアス、帯電バイアスなどである。また、データベースの転写紙の種類毎のデータテーブルや変換式は、メーカ評価や市場で稼動する装置から情報を取得して構築されたものである。
【００１６】
各複写機１００は、詳細は後述するが、使用する転写紙の銘柄などの種類情報を取得して、取得した転写紙の種類情報と画像形成条件取得要求とを通信回線を介して画像形成条件提供サーバ３０１へ送信する。画像形成条件提供サーバ３０１は、画像形成条件取得要求と転写紙の種類情報とを受信したら、受信した転写紙の種類情報に基づいて、データベース３０１ａから受信した転写紙の種類情報に該当するデータテーブルまたは変換式を特定する。そして、特定してデータテーブルまたは変換式を複写機１００に送信する。複写機１００は、通信回線を介して送られてきた使用する転写紙の画像形成条件を受信して、受信した画像形成条件に設定する。
【００１７】
次に、実施形態１に係る画像形成装置として、電子写真方式によって画像を形成する複写機１００について説明する。
まず、本実施形態に係る複写機の基本的な構成について説明する。図２は、本実施形態に係る複写機を示す概略構成図である。この複写機１００は、プリンタ部１と、白紙供給装置４０と、原稿搬送読取ユニット５０とを備えている。原稿搬送読取ユニット５０は、プリンタ部１の上に固定された原稿読取装置たるスキャナ１５０と、これに支持される原稿搬送装置たるＡＤＦ５１とを有している。
【００１８】
白紙供給装置４０は、ペーパーバンク４１内に多段に配設された２つの給紙カセット４２、給紙カセットから転写紙を送り出す送出ローラ４３、送り出された転写紙を分離して給紙路４４に供給する分離ローラ４５等を有している。また、プリンタ部１の給紙路３７に転写紙を搬送する複数の搬送ローラ４７等も有している。そして、給紙カセット内の転写紙をプリンタ部１内の給紙路３７内に給紙する。
【００１９】
図３は、プリンタ部１の内部構成の一部を拡大して示す部分拡大構成図である。プリンタ部１は、光書込装置２、Ｋ，Ｙ，Ｍ，Ｃ色のトナー像を形成する４つのプロセスユニット３Ｋ，Ｙ，Ｍ，Ｃ、転写ユニット２４、紙搬送ユニット２８、レジストローラ対３３、定着ユニット６０等を備えている。また、カール除去ローラ群３４、排紙ローラ対３５、スイッチバック装置３６、給紙路３７等も備えている。そして、光書込装置２内に配設された図示しないレーザーダイオードやＬＥＤ等の光源を駆動して、ドラム状の４つの感光体４Ｋ，Ｙ，Ｍ，Ｃに向けてレーザー光Ｌを照射する。この照射により、感光体４Ｋ，Ｙ，Ｍ，Ｃの表面には静電潜像が形成され、この潜像は所定の現像プロセスを経由してトナー像に現像される。なお、符号の後に付されたＫ，Ｙ，Ｍ，Ｃという添字は、ブラック，イエロー，マゼンタ，シアン用の仕様であることを示している。
【００２０】
プロセスユニット３Ｋ，Ｙ，Ｍ，Ｃは、それぞれ、潜像担持体たる感光体と、その周囲に配設される各種装置とを１つのユニットとして共通の支持体に支持するものであり、プリンタ部１本体に対して着脱可能になっている。ブラック用のプロセスユニット３Ｋを例にすると、これは、感光体４Ｋの他、これの表面に形成された静電潜像をブラックトナー像に現像するための現像装置６Ｋを有している。また、後述するＫ用の１次転写ニップを通過した後の感光体４Ｋ表面に付着している転写残トナーをクリーニングするドラムクリーニング装置１５なども有している。本複写機では、４つのプロセスユニット３Ｋ，Ｙ，Ｍ，Ｃを、後述する中間転写ベルト２５に対してその無端移動方向に沿って並べるように対向配設したいわゆるタンデム型の構成になっている。
【００２１】
図４は、４つのプロセスユニット３Ｋ，Ｙ，Ｍ，Ｃからなるタンデム部の一部を示す部分拡大図である。なお、４つのプロセスユニット３Ｋ，Ｙ，Ｍ，Ｃは、それぞれ使用するトナーの色が異なる他はほぼ同様の構成になっているので、同図においては各符号に付すＫ，Ｙ，Ｍ，Ｃという添字を省略している。同図に示すように、プロセスユニット３は、感光体４の周りに、帯電装置２３、現像装置６、ドラムクリーニング装置１５、除電ランプ２２等を有している。
【００２２】
感光体４としては、アルミニウム等の素管に、感光性を有する有機感光材の塗布による感光層を形成したドラム状のものを用いている。但し、無端ベルト状のものを用いても良い。
【００２３】
現像装置６は、図示しない磁性キャリアと非磁性トナーとを含有する二成分現像剤を用いて潜像を現像するようになっている。内部に収容している二成分現像剤を攪拌しながら搬送して現像スリーブ１２に供給する攪拌部７と、現像スリーブ１２に担持された二成分現像剤中のトナーを感光体４に転移させるための現像部１１とを有している。なお、現像装置６として、二成分現像剤の代わりに、磁性キャリアを含まない一成分現像剤によって現像を行うタイプのものを使用していもよい。
【００２４】
攪拌部７は、現像部１１よりも低い位置に設けられており、互いに平行配設された２本の搬送スクリュウ８、これらスクリュウ間に設けられた仕切り板、現像ケース９の底面に設けられたトナー濃度センサ１０などを有している。
【００２５】
現像部１１は、現像ケース９の開口を通して感光体４に対向する現像スリーブ１２、これの内部に回転不能に設けられたマグネットローラ１３、現像スリーブ１２に先端を接近させるドクターブレード１４などを有している。現像スリーブ１２は、非磁性の回転可能な筒状になっている。マグネットローラ１２は、ドクターブレード１４との対向位置からスリーブの回転方向に向けて順次並ぶ複数の磁極を有している。これら磁極は、それぞれスリーブ上の二成分現像剤に対して回転方向の所定位置で磁力を作用させる。これにより、攪拌部７から送られてくる二成分現像剤を現像スリーブ１３表面に引き寄せて担持させるとともに、スリーブ表面上で磁力線に沿った磁気ブラシを形成する。
【００２６】
磁気ブラシは、現像スリーブ１２の回転に伴ってドクターブレード１４との対向位置を通過する際に適正な層厚に規制されてから、感光体４に対向する現像領域に搬送される。そして、現像スリーブ１２に印加される現像バイアスと、感光体４の静電潜像との電位差によってトナーを静電潜像上に転移させて現像に寄与する。更に、現像スリーブ１２の回転に伴って再び現像部１１内に戻り、マグネットローラ１３の磁極間に形成される反発磁界の影響によってスリーブ表面から離脱した後、攪拌部７内に戻される。攪拌部７内には、トナー濃度センサ１０による検知結果に基づいて、二成分現像剤に適量のトナーが補給される。
【００２７】
ドラムクリーニング装置１５としては、ポリウレタンゴム製のクリーニングブレード１６を感光体４に押し当てる方式のものを用いているが、他の方式のものを用いてもよい。クリーニング性を高める目的で、本例では、外周面を感光体４に接触させる接触導電性のファーブラシ１７を、図中矢印方向に回転自在に有する方式のものを採用している。このファーブラシ１７は、図示しない固形潤滑剤から潤滑剤を掻き取って微粉末にしながら感光体４表面に塗布する役割も兼ねている。ファーブラシ１７にバイアスを印加する金属製の電界ローラ１８を図中矢示方向に回転自在に設け、これにスクレーパ１９の先端を押し当てている。ファーブラシ１７に付着したトナーは、ファーブラシ１７に対してカウンタ方向に接触して回転しながらバイアスが印加される電界ローラ１８に転位する。そして、スクレーパ１９によって電界ローラ１８から掻き取られた後、回収スクリュウ２０上に落下する。回収スクリュウ２０は、回収トナーをドラムクリーニング装置１５における図紙面と直交する方向の端部に向けて搬送して、外部のリサイクル搬送装置２１に受け渡す。リサイクル搬送装置２１は、受け渡されたトナーを現像装置１５に送ってリサイクルする。
【００２８】
除電ランプ２２は、光照射によって感光体４を除電する。除電された感光体４の表面は、帯電装置２３によって一様に帯電せしめられた後、光書込装置２による光書込処理がなされる。なお、帯電装置２３としては、帯電バイアスが印加される帯電ローラを感光体４に当接させながら回転させるものを用いている。感光体４に対して非接触で帯電処理を行うスコロトロンチャージャ等を用いてもよい。
【００２９】
先に示した図３において、４つのプロセスユニット３Ｋ，Ｙ，Ｍ，Ｃの感光体４Ｋ，Ｙ，Ｍ，Ｃには、これまで説明してきたプロセスによってＫ，Ｙ，Ｍ，Ｃトナー像が形成される。
【００３０】
４つのプロセスユニット３Ｋ，Ｙ，Ｍ，Ｃの下方には、転写ユニット２４が配設されている。この転写ユニット２４は、複数のローラによって張架した中間転写ベルト２５を、感光体４Ｋ，Ｙ，Ｍ，Ｃに当接させながら図中時計回り方向に無端移動させる。これにより、感光体４Ｋ，Ｙ，Ｍ，Ｃと中間転写ベルト２５とが当接するＫ，Ｙ，Ｍ，Ｃ用の１次転写ニップが形成されている。Ｋ，Ｙ，Ｍ，Ｃ用の１次転写ニップの近傍では、ベルトループ内側に配設された１次転写ローラ２６Ｋ，Ｙ，Ｍ，Ｃによって中間転写ベルト２５を感光体４Ｋ，Ｙ，Ｍ，Ｃに向けて押圧している。これら１次転写ローラ２６Ｋ，Ｙ，Ｍ，Ｃには、それぞれ図示しない電源によって１次転写バイアスが印加されている。これにより、Ｋ，Ｙ，Ｍ，Ｃ用の１次転写ニップには、感光体４Ｋ，Ｙ，Ｍ，Ｃ上のトナー像を中間転写ベルト２５に向けて静電移動させる１次転写電界が形成されている。図中時計回り方向の無端移動に伴ってＫ，Ｙ，Ｍ，Ｃ用の１次転写ニップを順次通過していく中間転写ベルト２５のおもて面には、各１次転写ニップでトナー像が順次重ね合わせて１次転写される。この重ね合わせの１次転写により、中間転写ベルト２５のおもて面には４色重ね合わせトナー像（以下、４色トナー像という）が形成される。
【００３１】
転写ユニット２４の図中下方には、駆動ローラ３０と２次転写ローラ３１との間に、無端状の紙搬送ベルト２９を掛け渡して無端移動させる紙搬送ユニット２８が設けられている。そして、自らの２次転写ローラ３１と、転写ユニット２４の下部張架ローラ２７との間に、中間転写ベルト２５及び紙搬送ベルト２９を挟み込んでいる。これにより、中間転写ベルト２５のおもて面と、紙搬送ベルト２９のおもて面とが当接する２次転写ニップが形成されている。２次転写ローラ３１には図示しない電源によって２次転写バイアスが印加されている。一方、転写ユニット２４の下部張架ローラ２７は接地されている。これにより、２次転写ニップに２次転写電界が形成されている。
【００３２】
この２次転写ニップの図中右側方には、レジストローラ対３３が配設されており、ローラ間に挟み込んだ転写紙を中間転写ベルト２５上の４色トナー像に同期させ得るタイミングで２次転写ニップに送り出す。２次転写ニップ内では、中間転写ベルト２５上の４色トナー像が２次転写電界やニップ圧の影響によって転写紙に一括２次転写され、転写紙の白色と相まってフルカラー画像となる。２次転写ニップを通過した転写紙は、中間転写ベルト２５から離間して、紙搬送ベルト２９のおもて面に保持されながら、その無端移動に伴って定着ユニット６０へと搬送される。
【００３３】
２次転写ニップを通過した中間転写ベルト２５の表面には、２次転写ニップで転写紙に転写されなかった転写残トナーが付着している。この転写残トナーは、中間転写ベルト２５に当接するベルトクリーニング装置によって掻き取り除去される。
【００３４】
定着ユニット６０に搬送された転写紙は、定着ユニット６０内における加圧や加熱によってフルカラー画像が定着させしめられた後、定着ユニット６０から送り出される。そして、カール除去ローラ群３４によって形成されるニップと、排紙ローラ対３５によって形成されるニップとを経由した後、機外へと排出される。
【００３５】
先に示した図２において、紙搬送ユニット２２および定着ユニット６０の下には、スイッチバック装置３６が配設されている。これにより、片面に対する画像定着処理を終えた転写紙が、切換爪で転写紙の進路を転写紙反転装置側に切り換えられ、そこで反転されて再び２次転写転写ニップに進入する。そして、もう片面にも画像の２次転写処理と定着処理とが施された後、排紙トレイ上に排紙される。
【００３６】
プリンタ部１の上に固定されたスキャナ１５０は、原稿ＭＳの画像を読み取るための読取手段として、固定読取部１５１と、移動読取部１５２とを有している。光源、反射ミラー、ＣＣＤ等の画像読取センサなどを有する固定読取部１５１は、原稿ＭＳに接触するようにスキャナ１５０のケーシング上壁に固定された図示しない第１コンタクトガラスの直下に配設されている。そして、ＡＤＦ５１によって搬送される原稿ＭＳが第１コンタクトガラス上を通過する際に、光源から発した光を原稿面で順次反射させながら、複数の反射ミラーを経由させて画像読取センサで受光する。これにより、光源や反射ミラー等からなる光学系を移動させることなく、原稿ＭＳを走査する。
【００３７】
一方、移動読取部１５２は、原稿ＭＳに接触するようにスキャナ１５０のケーシング上壁に固定された図示しない第２コンタクトガラスの直下であって、固定読取部１５１の図中右側方に配設されており、光源や、反射ミラーなどからなる光学系を図中左右方向に移動させることができる。そして、光学系を図中左側から右側に移動させていく過程で、光源から発した光を第２コンタクトガラス上に載置された図示しない原稿で反射させた後、複数の反射ミラーを経由させて、スキャナ本体に固定された画像読取センサ１５３で受光する。これにより、光学系を移動させながら、原稿を走査する。
【００３８】
プリンタ部１内には、シート状の記録部材である転写紙Ｐを搬送するための搬送路が形成されている。そして、プリンタ部１内では、上述した光書込装置２と、４つのプロセスユニット３Ｋ，Ｙ，Ｍ，Ｃと、転写ユニット２４との組合せにより、搬送路内を搬送される記録部材たる転写紙Ｐにトナー像を形成するトナー像形成手段が構成されている。上述した給紙路３７は、この搬送路の一部であり、白紙供給装置４０から受け取った転写紙Ｐを、これに対するトナー像形成位置である２次転写ニップの直前まで搬送するための記録前経路となっている。そして、２次転写ニップ以降が、トナー像形成後の転写紙Ｐを搬送するための記録後経路となっている。この記録後経路は、２次転写ニップと、紙搬送ベルト２９の上部張架面と、定着ユニット６０内と、カール除去ローラ群３４によるニップと、レジストローラ対３５によるニップとを順に辿る経路である。
【００３９】
次に、本複写機の特徴的な構成について説明する。
図５は、実施形態１に係る複写機の電気回路の一部を示すブロック図である。同図において、制御部２００は、装置全体の制御を司るものであり、様々な機器やセンサが接続されているが、同図では、本複写機の特徴点に関連する機器やセンサだけを示している。制御部２００は、ＣＰＵ、ＲＯＭ、ＲＡＭなどで構成され、ハードウェア上で所定のプログラムを実行することにより、各手段の機能を実現している。
図５に示すように、本複写機１００は、通信装置２０１を備えており、通信ネットワークなどの通信回線を経由して、画像形成条件提供サーバ３０１と接続可能となっている。この通信装置２０１を介して、画像形成条件提供サーバから、画像形成条件（データテーブル）を取得する。すなわち、制御部２００および通信装置２０１が、画像形成条件を取得する画像形成条件取得手段として機能する。
複写機１００は、ハードディスクなどの情報記憶手段２０４を有し、画像形成条件提供サーバ３０１から受信したデータテーブルまたは変換式を記憶している。また、情報記憶手段２０４は、環境条件毎の標準画像形成条件も記憶している。
制御部２００は、画像形成条件提供サーバのデータベースから取得した画像形成条件に設定する第１画像形成条件設定手段としての機能を有している。また、制御部２００は、判定用の画像形成条件である標準画像形成条件に設定して転写紙に判定画像を形成し、転写紙上の判定画像を読み取って判定画像の良否を判定し、判定画像の判定結果に基づいて画像形成条件を設定する第２画像形成条件設定手段としての機能も有している。
【００４０】
また、複写機１００には、ＳＤメモリなどの書き換え可能な外部記憶媒体としてのメモリーカード３０２を着脱可能にするための外部記憶媒体着脱部としてのメモリーカードドライブ装置２０３を有している。複写機１００が、画像形成条件提供サーバと接続不可能な場所などに設置されている場合は、上記メモリーカード３０２を介して使用する転写紙に対応した画像形成条件（データテーブル・変換式）を取得する。具体的に説明すると、後述する方法で使用する転写紙の情報を取得したら、この取得した転写紙の種類情報をメモリーカード３０２に記憶する。転写紙の種類情報が記憶されたメモリーカード３０２をメモリーカードドライブ装置２０３から抜き取り、画像形成条件提供サーバ３０１にアクセス可能なパーソナルコンピュータなどの通信端末に設けられたメモリーカードドライブ装置に差し込む。通信端末は、メモリーカード３０２から転写紙の種類情報を読み込んで、画像形成条件提供サーバ３０１にアクセスして画像形成条件提供サーバ３０１から、転写紙に対応するデータテーブルを受信する。通信端末は受信したデータテーブルをメモリーカード３０２に記憶する。データテーブルが記憶されたら、通信端末から、メモリーカード３０２を抜き取って、複写機１００のメモリーカードドライブ装置２０３に差し込む。制御部２００は、メモリーカード３０２が差し込まれたら、メモリーカード３０２から、データテーブルを読み出して、情報記憶手段２０４に記憶する。すなわち、制御部２００およびメモリーカードドライブ装置２０３が、外部記憶媒体を介して前記記憶手段から取得した転写紙の種類情報に対応した画像形成条件を取得する第２画像形成条件取得手段としての機能を有している。
これにより、複写機１００が、画像形成条件提供と接続不可能な場所などに設置されていても、画像形成条件提供サーバ３０１から画像形成条件を取得することができる。
【００４１】
また、複写機１００は、環境条件検知手段たる温湿度センサ２０２を備えている。そして、温湿度センサ２０２が検知した環境条件（温度または湿度）に基づいて、現像バイアス、転写バイアス、帯電バイアス、定着条件などの画像形成条件を設定する。具体的には、情報記憶手段２０４に記憶されているデータテーブルから、温湿度センサ２０２が検知した環境に合致する画像形成条件を特定して、この特定した画像形成条件に基づいて、現像バイアス、転写バイアス、帯電バイアス、定着条件などを設定する。
【００４２】
次に、使用される転写紙の種類の取得について説明する。
図６（ａ）に示すように、転写紙を所定枚数包装した包装紙には、転写紙の種類に関する情報が記載されたラベル貼付られている。ラベルには、図６（ｂ）に示すように、（１）商品名、（２）サイズ、（３）枚数、（４）管理コード、（５）裁断方向（抄き目）が記載されている。また、上記の他に坪量なども記載されているものもある。また、図では、管理コードは、一次元コードのバーコードであるが、２次元コードＱＲコードなどの場合もある。
【００４３】
本実施形態においては、上記包装紙の貼り付けられているラベルから転写紙の種類を取得して、この取得情報に基づいて、画像形成条件を設定している。
以下に図７〜図１０に示す各制御フロー図に基づいて説明する。
図７のフローチャートに示すように、ユーザがスキャナ１５０の原稿読取面にラベルをセットして、読取開始を指示して、ラベルを読み取る（Ｓ１ａ）。なお、スキャナ部を備えていない画像形成装置においては、外部装置（イメージスキャナ、バーコードリーダ、ハンディスキャナ、カメラ付携帯）を使用して、ラベルを読み取る。情報記憶手段２０４には、転写紙の種類毎のラベル画像が記憶されており、読み取ったラベル画像を、制御部２００は、情報記憶手段２０４に記憶されているラベル画像とパターンマッチングして、転写紙の種類を特定する（Ｓ２ａ）。
また、図８に示すように、制御部２００は、読み取ったラベル画像をＯＣＲ処理して（Ｓ２ｂ）、読み取ったラベル画像から文字（テキスト）情報を抽出する。制御部２００は、この抽出したテキスト情報を解読して（Ｓ３ｂ）、転写紙の銘柄などを特定して、転写紙の種類を取得してもよい。
さらに、図９に示すように、制御部２００は、読み取ったラベル画像から、バーコードやＱＲコードなどのコードが表示されているコード表示領域を抽出する（Ｓ２ｃ）。そして、制御部２００は、抽出したコードを変換して（Ｓ３ｃ）、情報を取得することで、転写紙の種類を取得してもよい。
【００４４】
図１０に示すように、図７〜図９に示すような方法で、転写紙の種類（銘柄）が特定できなかった場合（Ｓ４のＮＯ）は、銘柄名や、商品番号、バーコードの下に記載されている数値コードなどを表示操作部２０４で入力して、転写紙の種類を特定する。
【００４５】
このように、本実施形態においては、スキャナ１５０と制御部２００とが、転写紙情報取得手段として機能する。また、表示操作部２０４と制御部２００も、転写紙情報取得手段として機能する。なお、Ｓ１〜Ｓ５までの処理（転写紙の種類情報の取得）は、画像形成装置内で処理を行わなくてもよい。例えば、パーソナルコンピュータなどの外部装置でＳ１〜Ｓ５までの処理を実行して、転写紙の種類情報を複写機１００に送信するようにしてもよい。
【００４６】
このようにして、転写紙の種類が取得されたら、制御部２００は、読み取ったラベルに対応する転写紙が収納された給紙段や、用紙サイズを取得する（Ｓ６）。また、温湿度センサ２０２で環境条件を取得する（Ｓ７）。次に、取得した転写紙の銘柄、用紙サイズなどの転写紙の種類情報および環境条件から画像形成条件検索する。具体的には、取得した転写紙の銘柄、用紙サイズなどの転写紙の種類情報に基づいて、その種類情報に対応するデータテーブルが装置内部の情報記憶手段２０４にあるか否かを検索する。ある場合は（Ｓ９のＹＥＳ）、環境条件に基づいて、データテーブルから画像形成条件を検索して、画像形成条件を設定する（Ｓ１０）。情報記憶手段２０４に対応するデータテーブルがなかった場合、通信装置で画像形成条件提供サーバ３０１に転写紙の種類情報と画像形成条件取得要求を送信する。画像形成条件提供サーバ３０１は、転写紙の種類情報を受信して、データベース３０１ａからデータテーブルを検索する。データテーブルがある場合は、データテーブルを複写機１００へ送信し、データテーブルがない場合は、その旨を複写機１００に送信する。複写機１００は、画像形成条件提供サーバ３０１からデータテーブルを受信したら、そのデータテーブルを取得した転写紙の種類情報と関連づけて情報記憶手段２０４に記憶する。そして、上述同様、環境条件に基づいて、データテーブルから画像形成条件を検索して、画像形成条件を設定する（Ｓ１０）。一方、画像形成条件提供サーバ３０１から、データテーブルがない旨の情報を受信した場合（Ｓ９のＮＯ）は、Ｓ１１〜Ｓ１７の処理を行う。
【００４７】
転写紙の銘柄は、非常に多いので、画像形成条件提供サーバ３０１のデータベース３０１ａに必ずしも使用する転写紙に対応した画像形成条件（データテーブル）が蓄積されているとは限らない。このように、画像形成条件提供サーバ３０１から、データテーブルがない旨の情報を受信したら、複写機自ら使用する転写紙に対する最適する画像形成条件を見つけ出す。
まず、図１０に示すように、標準画像形成条件に設定する（Ｓ１１）。上記情報記憶手段２０４には、各環境条件における標準画像形成条件が記憶されており、環境検知手段たる温湿度センサ２０２が検知した環境条件に対応する標準画像形成条件を情報記憶手段２０４から読み出す。この読み出した標準画像形成条件となるように、制御部２００は、定着条件、転写バイアス、現像バイアスなどの各条件を設定する。
【００４８】
次に、転写紙に判定画像を形成し出力し（Ｓ１２）、出力した判定画像をスキャナ１５０にセットして、転写紙に形成された判定画像を読み取る（Ｓ１３）。制御部２００は、読み取った画像から、画像の良否を判定する（Ｓ１４）。具体的には、図１１に示すような、転写紙に形成された全面孤立ドット画像からなる判定画像の読込みデータから、主走査線方向の濃度あるいは面積率の変動と副走査線方向の濃度あるいは面積率の変動とを算出して、濃度ムラを検出する。また、読込みデータから、各ドットの重心位置の累積ピッチを主走査線方向および副走査線方向について算出してバンディングなどを検出する。また、読込みデータから各ドットの面積率を算出して、転写不良やピンホールを検出する。このように判定画像の読込みデータから検出した濃度ムラ、バンディング、転写不良などが許容レベルより悪く、画像が不適正（画像判定否）の場合（Ｓ１４のＮＯ）は、検出した結果に基づいて画像形成条件を変更し（Ｓ１５）、変更した画像形成条件で、Ｓ１２以降のステップを再度実行する。一方、濃度ムラ、バンディング、転写不良などが許容レベルであり、画像が適正（画像判定良）の場合（Ｓ１４のＹＥＳ）は、そのときの画像形成条件、環境区分、転写紙の種類情報を情報記憶手段２０４に記憶するとともに、そのときの画像形成条件に設定する（Ｓ１６）。また、そのときの画像形成条件、環境区分、転写紙の種類情報を、通信装置を使用して、画像形成条件提供サーバに送信する（Ｓ１７）。
【００４９】
このように、本複写機１００においては、画像形成提供サーバのデータベースに使用する転写紙に対する最適な画像形成条件がなくても、使用する転写紙に対する最適な画像形成条件を設定することができる。
すなわち、本複写機においては、図１０のＳ１０の処理が、第１画像形成条件設定手段が行う処理に相当し、Ｓ１１〜Ｓ１６までの処理が、第２画像形成条件設定手段が行う処理に相当する。
【００５０】
また、本複写機１００においては、複写機１００が自ら設定した使用する転写紙に最適な画像形成条件を画像形成条件提供サーバ３０１へ送信している。これにより、画像形成サーバ３０１は、データベース３０１ａに記憶されてない種類の転写紙の最適な画像形成条件を入手することができる。
【００５１】
また、環境条件（区分）が変化して、その環境条件にあった画像形成条件に変更するときに、情報記憶手段２０４にデータテーブルがない場合は、図１０に示すＳ１１〜Ｓ１７までの処理を実行する。これにより、データベース３０１ａに各環境条件（環境区分）における画像形成条件を入手することができる。
【００５２】
次に、画像形成条件提供サーバ３０１の処理について、具体的に説明する。
図１２は、画像形成条件提供サーバ３０１の主要な機能を抽出して示した機能ブロック図である。
画像形成条件提供サーバ３０１は、送受信部３０１ｂと、検索部３０１ｃと、アクセス情報記憶部３０１ｄと、データベース部３０１ａとを備えている。画像形成条件提供サーバ３０１は、ＣＰＵ等からなるハードウェア上で所定のプログラムを実行することにより、各機能を実現している。上記アクセス情報記憶部３０１ｄは、ハードディスクなどで構成され、複写機１００が画像形成条件提供サーバにアクセスしたときのアクセス記録と画像形成条件取得要求したときの転写紙の種類情報とを記憶している。送受信部３０１ｂは、通信装置やＣＰＵなどで構成され、複写機１００から転写紙の種類情報や画像形成条件取得要求などを受信する。また、送受信部３０１ｂは、複写機１００から、複写機自ら設定した転写紙の最適な画像形成条件も受信する。さらに、送受信部３０１ｂは、メーカ端末３０３から、評価分析して得られた転写紙の最適な画像形成条件なども受信する。また、送受信部３０１ｂは、データテーブル記憶手段に記憶されているデータテーブルや変換式を複写機１００に送信する。また、送受信部３０１ｂは、データベース３０１ａに記憶されていない転写紙の種類情報をメーカ端末３０３に送信して、メーカに報知する。検索部３０１ｃは、ＣＰＵなどで構成され、送受信部３０１ｂで受信した複写機１００からの転写紙の種類情報に基づいて、データベース３０１ａを検索し、その転写紙に対応する画像形成条件と環境条件とが関係づけられたデータテーブルを送受信部３０１ｂへ送信する。
データベース３０１ａは、上述したように、転写紙毎に環境条件（区分）と画像形成条件とが関連づけられたデータテーブルが記憶されている。
【００５３】
次に、データベース３０１ａに新規な転写紙のデータテーブルが記憶されるまでの処理について具体的に説明する。
図１３に示すように、データベース３０１ａに複写機が要求した転写紙の画像形成条件がなかった場合は、複写機１００から複写機自らが設定した新規転写紙の最適な画像形成条件と、設定したときの環境条件（区分）とを取得して、フラグを設定する（Ｓ２１〜Ｓ２３）。そして、この転写紙を使用している各複写機１００から、この転写紙の各環境条件（環境区分）における最適な画像形成条件が送信されて、データテーブルが完成したら（Ｓ２４）、完成したデータテーブルに対応する転写紙に対してデータベース取得要求を行った複写機１００をアクセス情報記憶部３０１ｄから抽出する。そして、フラグの設定を解除するとともに、抽出した複写機１００に対して、完成したデータテーブルを配信する（Ｓ２５）。
これにより、各複写機１００は、環境条件が変わる毎に図１１に示したＳ１１〜Ｓ１６の処理を行って転写紙に適した画像形成条件を設定する必要がなくなる。
【００５４】
また、図１３にようにして、画像形成条件提供サーバ３０１で新規転写紙に対するデータテーブルを作成するとともに、この新規転写紙の種類情報をメーカ端末３０３にメールなどで報知する。メーカは、図１４に示すように、新規転写紙の情報をメーカ端末で受信（Ｓ３１）したら、新規転写紙を入手（Ｓ３２）して、画像形成装置の評価を実施する（Ｓ３３）。また、評価結果に基づいて経時画像品質確保のための各環境条件における最適な画像形成条件について分析する（Ｓ３３）。このような評価・分析して得られた正規のデータテーブルをメーカ端末３０３から画像形成条件提供サーバ３０１へ送信する。画像形成条件提供サーバ３０１は、メーカ端末３０３から受信した正規のデータテーブルでデータベースを更新する（Ｓ３６）。また、正規のデータテーブルに対応する転写紙に対してデータベース取得要求を行った複写機１００をアクセス情報記憶部３０１ｄから抽出する。そして、抽出した複写機１００に対して正規のデータテーブルを配信する（Ｓ３６）。
【００５５】
また、図１３に示すフローでデータベースが完成していないときに各複写機１００から受信した画像形成条件と環境条件とをメーカ端末３０３に送信するようにしてもよい。このように、各複写機１００からの画像形成条件と環境条件とをメーカ端末３０３に送信することで、市場に投入されている各複写機が自ら設定した画像形成条件で評価データを補完することができる。
【００５６】
［実施形態２］
次に、本発明の実施形態２について説明する。以下に説明する実施形態２については、実施形態１と同様な構成については、説明は省略する。
図１５は、実施形態２に係る異常判定システムの一例を示す概略構成図である。
図に示すように異常判定システムは、画像形成装置たる複写機１００と、記憶手段たるデータベース５０１ａを備えた管理サーバ５０１と、画像形成装置たる複写機１００と管理サーバ５０１との間で通信を行う通信ネットワークなどの通信回線とで構築される。
【００５７】
図１６は、実施形態２に係る複写機１００の電気回路の一部を示すブロック図である。
図に示すように、実施形態２に係る複写機１００には、ＣＰＵなどで構成され、所定のタイミングで装置の状態指標値を算出する指標値算出部２０６を備えている。実施形態２の複写機１００は、以下に示すような手法を用いて、指標値算出部２０６で指標値Ｃを算出する。そして、制御部２００は、算出した指標値と、情報記憶手段２０４に記憶されている閾値と比較して、装置内の部品の寿命の判定または予測する。
【００５８】
装置の部品の状態指標値の算出については、ＭＴＳ（Maharanobis Taguchi System）法などのパターン認識手法を用いることができる。ＭＴＳ法の詳細は、「ＭＴシステムにおける技術開発  刊行委員会委員長  田口玄一著  日本規格協会刊」に詳しく説明されているので、詳しい説明を省略するが、次のような処理を行う。即ち、まず、正常な状態の被検対象、あるいはこれと同一仕様のものである同一仕様物から、複数種類の情報からなる組データを取得する。そして、この組データを数多く収集して標準データとなる逆行列を構築する。その後、被検対象の正常さ加減を調べたいときに、被検対象から組データを取得する。そして、この組データについて、予め構築しておいた標準データによる多次元空間内でどのような相対位置関係にあるのかを示すマハラノビス距離を求め、その結果に基づいて被検対象の正常さ加減を量る。なお、逆行列を構築しないでマハラノビス距離を求める方法もある。
【００５９】
本複写機１００では、標準データとして、ＭＴＳ法による逆行列が情報記憶手段内に格納されている。この逆行列は、新品の本複写機によって様々な画像パターンや紙厚のプリントアウトが複数回に渡って行われた際におけるそれぞれの装置の状態情報に基づいて構築されたものである。ユーザーのもとでのプリントアウトが行われる際には、そのときの装置の状態情報が取得され、取得結果と、前述の逆行列とに基づいてマハラノビス距離（指標値）が求められる。そして、マハラノビス距離（指標値）と閾値とを比較して指標値が閾値を超えた時点で、警報が発信される。なお、装置の状態情報としては、感光体の回転速度などの駆動の情報や、現像剤の特性、使用する転写紙の特性、画像形成条件などである。
【００６０】
情報記憶手段２０４は、ハードディスクなどで構成され、装置が使用している転写紙の種類に対応した閾値、標準データなどが記憶されている。
【００６１】
図１７は、指標値と、最後に保守を行ってからの経過時間との関係を示すグラフである。保守直後には、指標値はそれほど高い値を示していないが、その後、装置の使用時間が増えるにつれて徐々に上昇していく。そして、閾値に達した後に更に上昇を続け、やがて異常が発生する。閾値は、異常が発生する時の指標値よりも低い値に設定されているため、指標値が閾値に達した時点で異常発生情報を発することで、異常の発生を事前に予測してユーザーに伝えることができる。そこで、本複写機１００の制御部２００は、指標値が閾値に達した時点で異常発生情報を発信するようになっている。
【００６２】
通信装置２０１は、通信回線を介して管理サーバ５０１に接続されており、通信装置２０１は、スキャナ１５０などによって取得した使用する転写紙の銘柄などの種類情報を管理サーバ５０１に送信する。また、通信装置２０１は、管理サーバ５０１から使用する転写紙に対応する閾値と、この閾値に対応する部品情報と、指標値を算出するための情報（どの状態情報を用いて指標値を算出するかなどの情報：以下、指標値算出情報）を受信する。受信したこれらの情報は、情報記憶手段に記憶される。そして、制御部２００は、情報記憶手段２０４に記憶された閾値で装置や部品の寿命予測する。すなわち、本実施形態においては、制御部２００および通信装置２０１が、閾値設定手段として機能する。また、制御部２００は、閾値との比較結果に基づいて装置の異常の有無の判別または故障の発生を予測する異常判定手段としての機能も有している。
【００６３】
また、複写機１００には、実施形態１同様、ＳＤメモリなどの書き換え可能な外部記憶媒体としてのメモリーカード３０２を着脱可能にするための外部記憶媒体着脱部としてのメモリーカードドライブ装置２０３を有している。複写機１００が、管理サーバ５０１と接続不可能な場所などに設置されている場合は、上記メモリーカード３０２を介して使用する転写紙に対応した閾値を取得する。すなわち、制御部２００およびメモリーカードドライブ装置２０３が、外部記憶媒体を介して前記記憶手段から取得した転写紙の種類情報に対応した閾値に設定する第２閾値設定手段としての機能を有する。
これにより、複写機１００が、管理サーバ５０１と接続不可能な場所などに設置されていても、管理サーバ５０１から指標値算出情報などの情報を取得することができる。
【００６４】
操作表示部２０５は、タッチパネルなどで構成され、ユーザーの手入力で転写紙の種類情報が取得される転写紙情報取得手段としての機能を有している。また、算出した指標値が、閾値を超えていた場合、故障予測部品などをディスプレイに表示してユーザーに報知する報知手段としての機能も有している。
【００６５】
図１８は、管理サーバ５０１の主要な機能を抽出して示した機能ブロック図である。管理サーバ５０１は、送受信部５０１ｂと、検索部５０１ｃと、故障情報記憶部５０１ｄと、データベース部５０１ａと、閾値算出部５０１ｅとを備えている。管理サーバ５０１は、ＣＰＵ等からなるハードウェア上で所定のプログラムを実行することにより、各機能を実現している。
故障情報記憶部５０１ｄは、ハードディスクなどで構成され、複写機からの部品の交換がなされたときの装置情報（状態情報、交換部品等）と、そのとき使用されていた転写紙の種類情報とを対応づけて記憶している。
閾値算出部５０１ｅは、ＣＰＵなどで構成され、故障情報記憶部５０１ｄに記憶された情報に基づいて、転写紙の種類に対応した部品の指標値を算出する際に使用する状態情報を抽出したり、その閾値を算出したりして、その情報をデータベース５０１ａに記憶する。
送受信部５０１ｂは、通信装置やＣＰＵなどで構成され、複写機１００から転写紙の種類情報や閾値取得要求などを受信する。また、送受信部５０１ｂは、複写機１００から、装置内の部品か交換されたときの装置情報（状態情報、交換部品など）なども受信する。また、送受信部５０１ｂは、データテーブル記憶手段に記憶されている情報を複写機１００に送信する。
検索部５０１ｃは、ＣＰＵなどで構成され、送受信部５０１ｂで受信した複写機１００からの転写紙の種類情報に基づいて、データベース５０１ａを検索し、その転写紙に対応する画像形成条件と環境条件とが関係づけられたデータテーブルを送受信部５０１ｂへ送信する。
データベース５０１ａは、転写紙の種類毎に装置部品に対応する閾値と指標値算出情報（標準データなど）とが対応づけられた指標値算出用データテーブルが記憶されている。
【００６６】
なお、上述では、複写機１００に指標値算出部２０６を備えているが、管理サーバ側に備えてもよい。この場合は、複写機１００は、管理サーバ５０１に指標値を算出するために必要な複写機の状態情報を転写紙の種類情報とともに管理サーバ５０１に送信する。管理サーバ５０１は、受信した複写機の状態情報に基づいて、指標値を算出する。また、管理サーバ５０１は、受信した転写紙の種類情報に基づいてデータベース５０１ａから転写紙の種類に対応する閾値を特定し、算出した指標値と比較する。比較した結果、閾値を超えていた場合は、複写機１００に交換が必要な部品情報などを送信する。複写機１００は、受信した内容に基づいて、操作表示部２０５に交換が必要な部品情報を報知する。また、管理サーバは、サービスセンターに複写機１００の種類情報や、交換が必要な部品情報などを報知するようにしてもよい。管理サーバから、これらの情報を受信したら、サービスマンは、情報に基づいて交換部品の調達などを行って、その複写機の保守の準備にとりかかる。
【００６７】
次に、実施形態２の特徴点について、説明する。
転写紙の種類毎の転写紙に含まれるシリカ、クレーなどの填料の種類や配合量が異なる。このため、填料が感光体、クリーニングブレード、定着ローラに転移することで生じる部品劣化は、転写紙毎に異なってくる。転写紙の種類によらず閾値は１つだけの場合は、転写紙の種類によっては、指標値が閾値を超えない段階で、部品が劣化し装置に異常が発生してしまう場合や、部品があまり劣化していない段階で、指標値が閾値を超えてしまい場合が生じる。このため、実施形態２の複写機においては、使用する転写紙に応じて、閾値を異ならせている。以下に、具体的に説明する。
【００６８】
図１９は、実施形態２の複写機に係る制御フロー図である。
図に示すように、複写機１００の制御部２００は、実施形態１と同様な方法で、転写紙の種類情報を取得する（Ｓ４１）。次に、制御部２００は、取得した転写紙の銘柄などの種類情報に対応する指標値算出用データテーブルが情報記憶手段２０４にあるか否かをチェックする（Ｓ４２）。転写紙の種類に対応する指標値算出用データテーブルが情報記憶手段２０４にない場合（Ｓ４２のＮＯ）は、制御部２００は、管理サーバ５０１に転写紙の種類情報と閾値取得要求とを送信する。管理サーバ５０１は、複写機１００から転写紙の種類情報と閾値取得要求とを受信したら、検索部５０１ｃで、受信した転写紙の種類に対応する指標値算出用データテーブルをデータベース５０１ｃから検索する。データベースに転写紙に対応する指標値算出用データテーブルがある場合は、その指標値算出用データテーブルを複写機１００に送信する。複写機１００は、指標値算出用データテーブルを受信したら、指標値算出用データテーブルを情報記憶手段２０４に記憶する。管理サーバ５０１から指標値算出用データテーブルを取得するなどして、情報記憶手段２０４に指標値算出用データテーブルがある場合（Ｓ４２のＹＥＳ）、故障予測モードを実行する（Ｓ４３）。具体的には、各種センサから状態情報を取得し、情報記憶手段２０４から標準データを読み出して、指標値を算出する。指標値が閾値よりも超えていた場合（Ｓ４４のＹＥＳ）、故障が予測されるので、故障が予測される部品を操作表示部２０５のディスプレイなどに表示して、ユーザーに報知する（Ｓ４５）。
一方、データベース５０１ａに取得した転写紙に対応する指標値算出用データテーブルがない場合は、管理サーバ５０１は、その旨を複写機１００に送信する。複写機１００は、管理サーバ５０１から、指標値算出用データテーブルがない旨の情報を受信したら（Ｓ４２のＮＯ）、故障検知モードを実行する（Ｓ４６）。具体的には、例えば、定着ローラや感光体の回転が検知できない場合など、明らかに装置に異常が生じた状態となったら（Ｓ４７のＹＥＳ）、複写機１００は、各センサなどから装置の状態情報を取得して、転写紙の種類情報、故障部品などとともに故障情報として管理サーバ５０１へ送信する（Ｓ４８）。そして、故障が発生した部品を、操作表示部２０５のディスプレイなどに表示して、ユーザーに報知する（Ｓ４５）。
ユーザーは、ディスプレイに表示された情報に基づいて、サービスマンをコールするなどして、サービスマン呼び、サービスマンによって報知された部品が交換される。
【００６９】
図２０は、複数の装置の状態情報、転写紙の種類情報、故障部品などの故障情報を受信した後の管理サーバの制御フローである。
図に示すように、画像形成装置が部品の故障を検出して（Ｓ５１）、管理サーバに複数の装置の状態情報、転写紙の種類情報、故障部品などの故障情報を転送し（Ｓ５２）、その情報を管理サーバが受信したら、複数の装置の状態情報を異常な値と、正常の値とに層別して、故障情報記憶部５０１ｄに記憶する（Ｓ５３）。そして、所定の転写紙使用時における所定部品が故障したときの装置の状態情報がある程度信頼できる数、故障情報記憶部５０１ｄに記憶されたら、所定の転写紙使用時における所定部品の指標値算出に用いる状態情報（指標値算出情報）を抽出する。具体的には、異常な値に層別された状態情報（以下、故障データという）を抽出する。そして、故障データに基づいて、指標値を算出し（Ｓ５４）、この指標値に基づいて閾値を決定し（Ｓ５５）、決定した閾値と、転写紙の種類情報と、この閾値に対応する部品情報と、指標値を算出するためのプログラムなどからなる指標値算出情報をデータベース５０１ａに記憶する（Ｓ５６）。
【００７０】
また、閾値算出のときに抽出する故障データと転写紙の種類情報との関係の解析結果などを、不具合発生原因を解明に利用することもできる。
【００７１】
また、装置の各部品における閾値と、指標値算出情報が充足され、特定の転写紙における指標値算出用データテーブルが完成したら、この転写紙に対応する指標値算出用データテーブルの取得要求を行った複写機１００を抽出し、抽出した複写機１００に対して、完成した指標値算出用データテーブルを配信する。
【００７２】
以上、実施形態１の画像形成条件設定方法によれば、記憶手段たるデータベースに取得した転写紙に対応する画像形成条件がないときは、画像形成装置自らが取得した転写紙情報に対応する転写紙に対する最適な画像形成条件を設定する。よって、データベースに取得した転写紙に対応する画像形成条件がなくても、取得した転写紙に対して最適な画像形成条件を設定することのできる。その結果、データベースに取得した転写紙に対応する画像形成条件がなくても、良好な画像を形成することができる。
【００７３】
また、実施形態１の画像形成条件設定方法によれば、データベースに記憶された転写紙の種類に対する各環境条件（環境区分）に対応する画像形成条件が充足したとき、転写紙を使用している画像形成装置に対して、充足された環境条件に対応する画像形成条件を配信する。これにより、環境条件が変化したときに、転写紙に判定画像を形成して、判定画像に基づいて画像形成条件を設定する必要がなくなる。
【００７４】
また、実施形態１の画像形成条件設定方法によれば、画像形成装置に対して着脱可能、かつ、書き換え可能な外部記憶媒体たるメモリーカードを有し、メモリーカードを介して、データベースから転写紙の種類情報に対応した画像形成条件を取得する。これにより、画像形成装置がデータベースと接続できない環境下に配置されても、メモリーカードを介してデータベースから転写紙の種類情報に対応した画像形成条件を取得することができる。
【００７５】
また、実施形態１の画像形成装置によれば、データベースに取得した転写紙に対応する画像形成条件がないときは、画像形成装置自らが取得した転写紙情報に対応する転写紙に対する最適な画像形成条件を設定する。よって、データベースに取得した転写紙に対応する画像形成条件がなくても、取得した転写紙に対して最適な画像形成条件を設定することのできる。その結果、データベースに取得した転写紙に対応する画像形成条件がなくても、良好な画像を形成することができる。
【００７６】
また、実施形態１の画像形成装置によれば、画像形成装置が第２画像形成条件設定手段で設定した画像形成条件をデータベースに送信することで、データベースは、データベースにない転写紙の画像形成条件を得ることができる。
【００７７】
また、実施形態１の画像形成装置によれば、環境検知手段たる温湿度センサで環境条件を検知して、環境条件にあった画像形成条件を設定するので、環境変動によって生じる異常画像を抑制することができる。また、画像形成装置が第２画像形成条件設定手段で設定した画像形成条件と、設定したときの環境条件とをデータベースに送信することで、データベースは、データベースにない転写紙の各環境条件毎の画像形成条件を得ることができる。
【００７８】
また、実施形態１の画像形成装置においては、画像形成装置に対して着脱可能、かつ、書き換え可能なメモリーカードを有し、メモリーカードを介して、データベースから転写紙の種類情報に対応した画像形成条件を取得する。これにより、画像形成装置がデータベースと接続できない環境下に配置されても、メモリーカードを介してデータベースから転写紙の種類情報に対応した画像形成条件を取得することができる。
【００７９】
また、実施形態１の画像形成条件提供システムによれば、データベースにない転写紙の画像形成条件を画像形成装置から受信して、データベースに記憶する。これにより、データベースにない転写紙の画像形成条件を得ることができる。
【００８０】
また、実施形態１の画像形成条件提供システムによれば、データベースにない転写紙の環境条件と画像形成条件とを画像形成装置から受信することで、データベースにない転写紙の各環境条件毎の画像形成条件を得ることができる。
【００８１】
また、実施形態１の画像形成条件提供システムによれば、データベースに記憶された転写紙の種類に対する各環境条件（環境区分）に対応する画像形成条件が充足したとき、転写紙を使用している画像形成装置に対して、充足された環境条件に対応する画像形成条件を配信する。これにより、環境条件が変化したときに、転写紙に判定画像を形成して、判定画像に基づいて画像形成条件を設定する必要がなくなる。
【００８２】
また、実施形態１の画像形成条件提供システムによれば、データベースにない転写紙の種類情報を画像形成装置から受信したとき、この転写紙の種類情報をメーカに報知する。これにより、メーカは、この転写紙を入手して、評価・分析して最適な画像形成条件を決定することができる。そして、この決定した画像形成条件をデータベースに記憶することで、各画像形成装置は、この転写紙に対する最適な画像形成条件で画像形成を行うことが可能となる。
【００８３】
また、実施形態２の故障予測方法によれば、装置が使用する転写紙に対応する閾値を取得して、その閾値に基づいて、故障予測を行うので、転写紙の種類毎に異なる画像形成装置の構成部材の劣化進行の度合いに対応した異常発生の判定または予測することのできる。これにより、転写紙に起因する部材劣化による異常発生を精度よく判定または予測することのできる。
【図面の簡単な説明】
【００８４】
【図１】実施形態１に係る画像形成条件提供システムの一例を示す概略構成図。
【図２】実施形態１に係る複写機を示す概略構成図。
【図３】同複写機におけるプリンタ部の内部構成の一部を拡大して示す部分拡大構成図。
【図４】同複写機におけるタンデム部の一部を示す部分拡大図。
【図５】同複写機の電気回路の一部を示すブロック図。
【図６】（ａ）は、転写紙の包装状態を示す概略斜視図であり、（ｂ）は、包装紙に貼付られているラベルを示す図。
【図７】転写紙の種類情報を取得する第１方法を示す制御フロー図。
【図８】転写紙の種類情報を取得する第２方法を示す制御フロー図。
【図９】転写紙の種類情報を取得する第３方法を示す制御フロー図。
【図１０】画像形成条件を設定するときの制御フロー図。
【図１１】転写紙に形成された判定画像と、読込みデータとを示す図。
【図１２】画像形成条件提供サーバの主要な機能を抽出して示した機能ブロック図。
【図１３】データベースに新規な転写紙のデータテーブルが記憶されるまでの処理を示す制御フロー図。
【図１４】メーカによってデータベースに新規な転写紙のデータテーブルが記憶されるまでの処理を示すフロー図。
【図１５】実施形態２に係る異常判定システムの一例を示す概略構成図。
【図１６】実施形態２に係る複写機の電気回路の一部を示すブロック図。
【図１７】指標値と、経過時間（運転時間）との関係の一例を示すグラフ。
【図１８】管理サーバの主要な機能を抽出して示した機能ブロック図。
【図１９】同複写機における故障判定の制御フロー図。
【図２０】データベースに新規な転写紙に対応する指標値算出情報が記憶されるときの制御フロー図。
【符号の説明】
【００８５】
１      プリンタ部
１００  各複写機
１５０  スキャナ
２００  制御部
２０１  通信装置
２０２  温湿度センサ
２０３  メモリーカードドライブ装置
２０４  情報記憶手段
２０５  操作表示部
２０６  指標値算出部
３０１  画像形成条件提供サーバ
３０２  メモリーカード
５０１  管理サーバ
【図１】
2008102261.tif 000003
【図２】
2008102261.tif 000004
【図３】
2008102261.tif 000005
【図４】
2008102261.tif 000006
【図５】
2008102261.tif 000007
【図６】
2008102261.tif 000008
【図７】
2008102261.tif 000009
【図８】
2008102261.tif 000010
【図９】
2008102261.tif 000011
【図１０】
2008102261.tif 000012
【図１１】
2008102261.tif 000013
【図１２】
2008102261.tif 000014
【図１３】
2008102261.tif 000015
【図１４】
2008102261.tif 000016
【図１５】
2008102261.tif 000017
【図１６】
2008102261.tif 000018
【図１７】
2008102261.tif 000019
【図１８】
2008102261.tif 000020
【図１９】
2008102261.tif 000021
【図２０】
2008102261.tif 000022